【手続補正書】
【提出日】平成20年7月18日(2008.7.18)
【手続補正１】
【補正対象書類名】明細書
【補正対象項目名】発明の名称
【補正方法】変更
【補正の内容】
【発明の名称】データコピーシステム及びコピー制御装置
【手続補正２】
【補正対象書類名】明細書
【補正対象項目名】特許請求の範囲
【補正方法】変更
【補正の内容】
【特許請求の範囲】
【請求項１】
情報データと上記情報データの内容情報とを伝送できる通信制御バスと、
映像データ及び／又は音声データにより形成される情報データが記録されている第１の記録媒体と、
情報データに含まれている内容情報を呼び出すための内容情報呼出信号が記録されているトラック番号とともに、上記トラック番号に対応するように、第１の記録媒体に記録されている情報データの内容情報が格納されている第１の記憶素子と、
映像データ及び／又は音声データにより形成される情報データを記録することが可能な第２の記録媒体と、
第２の記録媒体に記録される情報データの内容情報を格納することが可能な第２の記憶素子と、
第１の記録媒体から任意の範囲の情報データを読み出す情報データ読出し手段と、
上記情報データ読出し手段により読み出した情報データを上記通信制御バスを介して上記第２の記録媒体の任意の場所に記録する記録手段と、
上記記録手段により上記第２の記録媒体に情報データを記録する際、情報データに含まれている内容情報呼出信号を監視する監視手段と、
上記監視手段により内容情報呼出信号が発見された際、上記第２の記録媒体から上記内容情報呼出信号が記録されているトラック番号を検出するトラック番号検出手段と、
第１の記憶素子に記憶されているトラック番号及び内容情報を読み出す内容情報読出し手段と、
上記内容情報読出し手段により読み出したトラック番号及び内容情報に基づいて内容情報テーブルを生成する内容情報テーブル生成手段と、
上記内容情報テーブルに、上記トラック番号検出手段により検出したトラック番号を書き込む書込み手段と、
上記書込み手段によりトラック番号を書き込んだ内容情報テーブルから、書き込まれたトラック番号と上記トラック番号に対応する内容情報とを読み出し、上記通信制御バスを介して上記第２の記憶素子に記憶する読出し記憶手段と
を備えるデータコピーシステム。
【請求項２】
上記通信制御バスは、ＩＥＥＥ１３９４シリアルバスである請求項１記載のデータコピーシステム。
【請求項３】
上記第１の記憶素子は、半導体メモリであり、上記第１の記録媒体に内蔵されている請求項１記載のデータコピーシステム。
【請求項４】
上記第２の記憶素子は、半導体メモリであり、上記第２の記録媒体に内蔵されている請求項１記載のデータコピーシステム。
【請求項５】
上記内容情報は、情報データの記録年月日、記録開始終了時刻、記録位置情報及びタイトル名である請求項１記載のデータコピーシステム。
【請求項６】
第１の記録媒体に記録されている情報データを第２の記録媒体にコピーする際に、上記第１の記録媒体から読み出される情報データに含まれる上記第１の記録媒体に記録されている情報データの内容情報を呼び出すための内容情報呼出信号を監視する監視手段と、
第１の記憶素子から読み出される上記情報データに含まれている内容情報を呼び出すための内容情報呼出信号が記録されている上記第１の記録媒体のトラック番号及び上記情報データの内容情報に基づいて内容情報テーブルを生成する内容情報テーブル生成手段と、
上記監視手段により内容情報呼出信号が発見された際、上記内容情報呼出信号が記録される上記第２の記録媒体のトラック番号を検出するトラック番号検出手段と、
上記内容情報テーブル生成手段により生成された内容情報テーブルに、上記トラック番号検出手段により検出したトラック番号を書き込む書込み手段と、
上記書込み手段によりトラック番号を書き込んだ内容情報テーブルから、書き込まれたトラック番号と上記トラック番号に対応する内容情報とを読み出し、第２の記憶素子の記憶する上記第２の記録媒体に記録される情報データの内容情報として出力する読み出し手段と
を備えるコピー制御装置。
【手続補正３】
【補正対象書類名】明細書
【補正対象項目名】０００１
【補正方法】変更
【補正の内容】
【０００１】
【発明の属する技術分野】
本発明は、ＩＥＥＥ１３９４シリアルバスに接続されている電子機器間で情報データ及び内容情報のコピーをするデータコピーシステムに関し、詳しくは、ＩＥＥＥ１３９４シリアルバスで接続されている電子機器間で情報データ及び内容情報のコピーを行う際に、コピーされた情報データに基づいて内容情報を調整しコピーするデータコピーシステム及びコピー制御装置に関する。
【手続補正４】
【補正対象書類名】明細書
【補正対象項目名】００１０
【補正方法】変更
【補正の内容】
【００１０】
そこで、本発明は、上述したような実情に鑑みて提案されたものであり、ＩＥＥＥ１３９４シリアルバスで接続されている電子機器間で映像データ及び／又は音声データと、絶対トラック番号が使用されている内容情報とを整合性を取りながら送受信するデータコピーシステム及びコピー制御装置を提供することを目的とする。
【手続補正５】
【補正対象書類名】明細書
【補正対象項目名】００１２
【補正方法】変更
【補正の内容】
【００１２】
また、本発明は、コピー制御装置は、第１の記録媒体に記録されている情報データを第２の記録媒体にコピーする際に、上記第１の記録媒体から読み出される情報データに含まれる上記第１の記録媒体に記録されている情報データの内容情報を呼び出すための内容情報呼出信号を監視する監視手段と、第１の記憶素子から読み出される上記情報データに含まれている内容情報を呼び出すための内容情報呼出信号が記録されている上記第１の記録媒体のトラック番号及び上記情報データの内容情報に基づいて内容情報テーブルを生成する内容情報テーブル生成手段と、上記監視手段により内容情報呼出信号が発見された際、上記内容情報呼出信号が記録される上記第２の記録媒体のトラック番号を検出するトラック番号検出手段と、上記内容情報テーブル生成手段により生成された内容情報テーブルに、上記トラック番号検出手段により検出したトラック番号を書き込む書込み手段と、上記書込み手段によりトラック番号を書き込んだ内容情報テーブルから、書き込まれたトラック番号と上記トラック番号に対応する内容情報とを読み出し、第２の記憶素子の記憶する上記第２の記録媒体に記録される情報データの内容情報として出力する読み出し手段とを備えることを特徴とする。
このような構成の本発明では、例えば、ＩＥＥＥ１３９４シリアルバスにより接続されているプレーヤ側の電子機器が有する記録媒体に記録されている任意の範囲の情報データ及び上記情報データの内容情報をレコーダ側の電子機器が有するデジタルテープの任意の位置に、情報データ及び上記情報データに適合するように変更した内容情報をコピーする。
【手続補正６】
【補正対象書類名】明細書
【補正対象項目名】００６８
【補正方法】変更
【補正の内容】
【００６８】
【発明の効果】
以上詳細に説明したように、本発明では、例えば、プレーヤ側の電子機器及びレコーダ側の電子機器がＩＥＥＥ１３９４シリアルバスで接続されたデータコピーシステムにおいて、プレーヤ側の電子機器が有するデジタルテープから情報データ及び内容情報を読み出し、レコーダ側の電子機器が有するデジタルテープに記録する際に、情報データに含まれている内容情報呼出信号を監視し、上記内容情報呼出信号を発見したとき、レコーダ側のデジタルテープから上記内容情報呼出信号が記録されているトラック番号を検出し、プレーヤ側のデジタルテープから読み出した内容情報からテーブルを生成し、生成したテーブルに検出したトラック番号を書き込み、トラック番号の書き込みを行ったテーブルに対応する内容情報をレコーダ側のデジタルテープが内蔵するメモリに格納するので、プレーヤ側からレコーダ側に情報データ及び上記情報データと整合性の取れた内容情報をコピーすることができる。